【手続補正書】
【提出日】平成27年5月19日(2015.5.19)
【手続補正１】
【補正対象書類名】特許請求の範囲
【補正対象項目名】全文
【補正方法】変更
【補正の内容】
【特許請求の範囲】
【請求項１】
地点を表す文字列情報を、区域を示す単位の大きさごとに３つ以上の複数の検索階層に階層化して記憶した文字列情報記憶部（１５）と、
前記地点を検索するためのユーザからの文字列の入力を受け付ける文字列入力部（１９）と、
予め設定された前記検索階層の検索順に、前記文字列情報記憶部に記憶された前記検索階層の文字列情報を参照して、前記検索階層ごとに、前記文字列入力部で入力を受け付けた文字列を含む文字列情報が示す前記区域を逐次特定していく区域特定部（２２４）と、
前記区域特定部で前記区域を逐次特定していくことで前記地点を検索する地点検索部（２２５）とを備える地点検索装置（１）であって、
前記検索階層を指定する旨のユーザからの入力を受け付ける検索階層指定入力部（１９、２０）と、
前記検索階層指定入力部で、予め設定された前記検索階層の検索順を遡った検索階層を指定する旨の入力を受け付けた場合に、指定された当該検索階層に戻って前記区域特定部での前記区域の特定をやり直す修正部（２２８）と、
前記修正部で、指定された前記検索階層に戻って前記区域特定部での前記区域の特定をやり直す場合にも、前記修正部で特定をやり直す区域以外の前記区域特定部で特定済の区域である特定済区域は保持する特定済区域保持部（２２７）とを備え、
前記修正部は、
指定された前記検索階層に戻って前記区域特定部での前記区域の特定をやり直した場合であって、前記特定済区域保持部で保持した前記特定済区域と、前記区域特定部で特定をやり直した区域との組み合わせとして、実在しない区域の組み合わせが生じた場合に、前記区域特定部で特定をやり直した区域と整合しない前記特定済区域の特定を自動的に取り消すことを特徴とする地点検索装置。
【請求項２】
地点を表す文字列情報を、区域を示す単位の大きさごとに３つ以上の複数の検索階層に階層化して記憶した文字列情報記憶部（１５）と、
前記地点を検索するためのユーザからの文字列の入力を受け付ける文字列入力部（１９）と、
予め設定された前記検索階層の検索順に、前記文字列情報記憶部に記憶された前記検索階層の文字列情報を参照して、前記検索階層ごとに、前記文字列入力部で入力を受け付けた文字列を含む文字列情報が示す前記区域を逐次特定していく区域特定部（２２４）と、
前記区域特定部で前記区域を逐次特定していくことで前記地点を検索する地点検索部（２２５）とを備える地点検索装置（１）であって、
前記検索階層を指定する旨のユーザからの入力を受け付ける検索階層指定入力部（１９、２０）と、
前記検索階層指定入力部で、予め設定された前記検索階層の検索順を遡った検索階層を指定する旨の入力を受け付けた場合に、指定された当該検索階層に戻って前記区域特定部での前記区域の特定をやり直す修正部（２２８）と、
前記検索階層の全てのうちから、ユーザが前記検索階層指定入力部に指定する旨の入力を行う前記検索階層を選択するための画面であるマルチクライテリア画面を表示させるマルチクライテリア画面表示制御部（２２１）と、
前記区域特定部で前記区域の特定を行う前記検索階層が切り替わるごとに、切り替わった前記検索階層に応じた、前記文字列入力部で入力を受け付けている文字列を示す画面である文字列入力画面を表示させる文字列入力画面表示制御部（２２２）とを備え、
前記文字列入力画面と前記マルチクライテリア画面とが同時に表示されることを特徴とする地点検索装置。
【請求項３】
請求項２において、
前記修正部で、指定された前記検索階層に戻って前記区域特定部での前記区域の特定をやり直す場合にも、前記修正部で特定をやり直す区域以外の前記区域特定部で特定済の区域である特定済区域は保持する特定済区域保持部（２２７）を備えることを特徴とする地点検索装置。
【請求項４】
請求項１又は３において、
前記区域特定部は、
前記修正部で、指定された前記検索階層に戻って前記区域特定部での前記区域の特定をやり直した場合であって、且つ、前記修正部で特定をやり直した修正区域及び前記特定済区域保持部で保持した保持区域以外の特定済でない未特定区域がある場合に、前記検索順の先頭に最も近い前記未特定区域についての前記検索階層から前記検索順に沿って、前記未特定区域を特定していくことを特徴とする地点検索装置。
【請求項５】
請求項１、３、及び４の何れか１項において、
前記地点検索部は、
前記修正部で、指定された前記検索階層に戻って前記区域特定部での前記区域の特定をやり直した場合であって、且つ、前記修正部で特定をやり直した修正区域及び前記特定済区域保持部で保持した保持区域以外に前記区域特定部で特定済でない未特定区域がない場合に、前記修正区域及び前記保持区域から絞り込まれる地点を検索することを特徴とする地点検索装置。
【請求項６】
請求項３において、
前記修正部は、
指定された前記検索階層に戻って前記区域特定部での前記区域の特定をやり直した場合であって、前記特定済区域保持部で保持した前記特定済区域と、前記区域特定部で特定をやり直した区域との組み合わせとして、実在しない区域の組み合わせが生じた場合に、前記区域特定部で特定をやり直した区域と整合しない前記特定済区域の特定を取り消すことを特徴とする地点検索装置。
【請求項７】
請求項１において、
前記検索階層の全てのうちから、ユーザが前記検索階層指定入力部に指定する旨の入力を行う前記検索階層を選択するための画面であるマルチクライテリア画面を表示させるマルチクライテリア画面表示制御部（２２１）を備えることを特徴とする地点検索装置。
【請求項８】
請求項７において、
前記区域特定部で前記区域の特定を行う前記検索階層が切り替わるごとに、切り替わった前記検索階層に応じた、前記文字列入力部で入力を受け付けている文字列を示す画面である文字列入力画面を表示させる文字列入力画面表示制御部（２２２）を備え、
前記文字列入力画面と前記マルチクライテリア画面とが同時に表示されることを特徴とする地点検索装置。
【請求項９】
請求項２、３、６、７、８の何れか１項において、
前記マルチクライテリア画面表示制御部は、前記検索階層の全てについて各々の検索階層を表す文字列を前記マルチクライテリア画面上に表示させるとともに、前記区域特定部で特定した前記区域を表す文字列と、その区域を特定するのに用いた前記検索階層を表す文字列とを対応付けて前記マルチクライテリア画面上に表示させることを特徴とする地点検索装置。
【請求項１０】
請求項２、３、６、７、８、９の何れか１項において、
前記マルチクライテリア画面表示制御部は、警告に関する警告画面を表示させる場合には、前記マルチクライテリア画面に重畳又は代替させて表示させることで、前記警告画面を前記マルチクライテリア画面に優先させて表示させることを特徴とする地点検索装置。
【手続補正２】
【補正対象書類名】明細書
【補正対象項目名】０００７
【補正方法】変更
【補正の内容】
【０００７】
第１の発明としての地点検索装置は、地点を表す文字列情報を、区域を示す単位の大きさごとに３つ以上の複数の検索階層に階層化して記憶した文字列情報記憶部（１５）と、地点を検索するためのユーザからの文字列の入力を受け付ける文字列入力部（１９）と、予め設定された検索階層の検索順に、文字列情報記憶部に記憶された検索階層の文字列情報を参照して、検索階層ごとに、文字列入力部で入力を受け付けた文字列を含む文字列情報が示す区域を逐次特定していく区域特定部（２２４）と、区域特定部で区域を逐次特定していくことで地点を検索する地点検索部（２２５）とを備える地点検索装置（１）であって、検索階層を指定する旨のユーザからの入力を受け付ける検索階層指定入力部（１９、２０）と、検索階層指定入力部で、予め設定された検索階層の検索順を遡った検索階層を指定する旨の入力を受け付けた場合に、指定された当該検索階層に戻って区域特定部での区域の特定をやり直す修正部（２２８）と、修正部で、指定された検索階層に戻って区域特定部での区域の特定をやり直す場合にも、修正部で特定をやり直す区域以外の区域特定部で特定済の区域である特定済区域は保持する特定済区域保持部（２２７）とを備え、修正部は、指定された検索階層に戻って区域特定部での区域の特定をやり直した場合であって、特定済区域保持部で保持した特定済区域と、区域特定部で特定をやり直した区域との組み合わせとして、実在しない区域の組み合わせが生じた場合に、区域特定部で特定をやり直した区域と整合しない特定済区域の特定を自動的に取り消すことを特徴としている。
また、第２の発明としての地点検索装置は、地点を表す文字列情報を、区域を示す単位の大きさごとに３つ以上の複数の検索階層に階層化して記憶した文字列情報記憶部（１５）と、地点を検索するためのユーザからの文字列の入力を受け付ける文字列入力部（１９）と、予め設定された検索階層の検索順に、文字列情報記憶部に記憶された検索階層の文字列情報を参照して、検索階層ごとに、文字列入力部で入力を受け付けた文字列を含む文字列情報が示す区域を逐次特定していく区域特定部（２２４）と、区域特定部で区域を逐次特定していくことで地点を検索する地点検索部（２２５）とを備える地点検索装置（１）であって、検索階層を指定する旨のユーザからの入力を受け付ける検索階層指定入力部（１９、２０）と、検索階層指定入力部で、予め設定された検索階層の検索順を遡った検索階層を指定する旨の入力を受け付けた場合に、指定された当該検索階層に戻って区域特定部での区域の特定をやり直す修正部（２２８）と、検索階層の全てのうちから、ユーザが検索階層指定入力部に指定する旨の入力を行う検索階層を選択するための画面であるマルチクライテリア画面を表示させるマルチクライテリア画面表示制御部（２２１）と、区域特定部で区域の特定を行う検索階層が切り替わるごとに、切り替わった検索階層に応じた、文字列入力部で入力を受け付けている文字列を示す画面である文字列入力画面を表示させる文字列入力画面表示制御部（２２２）とを備え、文字列入力画面とマルチクライテリア画面とが同時に表示されることを特徴とする。